(57)【要約】【課題】個別チャネル単独での通信状態からダイバーシチ受信動作の開始／停止を切り替えることにより、ダイバーシチ受信装置において消費電流の低減と通信呼の維持性能の向上とを両立させることができるようにする。【解決手段】通信品質を測定し、その測定による測定値および目標値の関係に基づいて、個別チャネルでの通信状態からダイバーシチ受信動作の開始／停止の切り替え制御を行う。【選択図】図３
2009049774.tif 000002
【特許請求の範囲】
【請求項１】
通信品質を測定する測定手段と、
前記測定手段による測定値および目標値の関係に基づいて、個別チャネルでの通信状態からダイバーシチ受信動作の開始／停止の切り替え制御を行う切替制御手段と、を備えたことを特徴とする無線通信装置。
【請求項２】
前記切替制御手段は、
前記測定値および前記目標値の差が所定の閾値以上である場合にダイバーシチ受信動作を行い、
前記測定値および前記目標値の差が所定の閾値未満である場合にダイバーシチ受信動作を停止させることを特徴とする請求項１記載の無線通信装置。
【請求項３】
前記目標値は、ｏｕｔ閾値およびｉｎ閾値により定義され、
前記切替制御手段は、
前記測定値が前記ｏｕｔ閾値未満になるとダイバーシチ受信動作を開始し、
前記測定値が前記ｉｎ閾値以上になるとダイバーシチ受信動作を停止させることを特徴とする請求項１記載の無線通信装置。
【請求項４】
前記目標値は、所定の閾値以上であるか否かにより定義され、
前記切替制御手段は、
前記測定手段による測定結果が前記閾値以上である場合にダイバーシチ受信動作を行い、
前記測定手段による測定結果が前記閾値未満である場合にダイバーシチ受信動作を停止させることを特徴とする請求項１記載の無線通信装置。
【請求項５】
他の装置から受信した値に基づいて前記目標値を算出する目標値算出手段を備えたことを特徴とする請求項２記載の無線通信装置。
【請求項６】
前記ｏｕｔ閾値および前記ｉｎ閾値をコマンドのエラー率に基づいて算出する閾値算出手段を備えたことを特徴とする請求項３記載の無線通信装置。
【請求項７】
前記測定手段は、受信データの復号結果における復号不良の割合により前記通信品質を測定することを特徴とする請求項４記載の無線通信装置。
【請求項８】
前記測定手段は、前記通信品質をＳＩＲ（Signal to Interference Ratio）により測定することを特徴とする請求項１から６の何れか１項に記載の無線通信装置。
【請求項９】
通信品質を測定する測定工程と、
個別チャネルでの通信状態から前記測定工程による測定値および目標値の関係に基づいて、ダイバーシチ受信動作の開始／停止の切り替え制御を行う切替制御工程と、を備えたことを特徴とするダイバーシチ受信制御方法。
【請求項１０】
前記切替制御工程では、
前記測定値および前記目標値の差が所定の閾値以上である場合にダイバーシチ受信動作を行い、
前記測定値および前記目標値の差が所定の閾値未満である場合にダイバーシチ受信動作を停止させることを特徴とする請求項９記載のダイバーシチ受信制御方法。
【請求項１１】
前記目標値は、ｏｕｔ閾値およびｉｎ閾値により定義され、
前記切替制御工程では、
前記測定値が前記ｏｕｔ閾値未満になるとダイバーシチ受信動作を開始し、
前記測定値が前記ｉｎ閾値以上になるとダイバーシチ受信動作を停止させることを特徴とする請求項９記載のダイバーシチ受信制御方法。
【請求項１２】
前記目標値は、所定の閾値以上であるか否かにより定義され、
前記切替制御工程では、
前記測定工程による測定結果が前記閾値以上である場合にダイバーシチ受信動作を行い、
前記測定工程による測定結果が前記閾値未満である場合にダイバーシチ受信動作を停止させることを特徴とする請求項９記載のダイバーシチ受信制御方法。
【請求項１３】
他の装置から受信した値に基づいて前記目標値を算出する目標値算出工程を備えたことを特徴とする請求項１０記載のダイバーシチ受信制御方法。
【請求項１４】
前記ｏｕｔ閾値および前記ｉｎ閾値をコマンドのエラー率に基づいて算出する閾値算出工程を備えたことを特徴とする請求項１１記載のダイバーシチ受信制御方法。
【請求項１５】
前記測定工程では、受信データの復号結果における復号不良の割合により前記通信品質を測定することを特徴とする請求項１２記載のダイバーシチ受信制御方法。
【請求項１６】
前記測定工程では、前記通信品質をＳＩＲ（Signal to Interference Ratio）により測定することを特徴とする請求項９から１４の何れか１項に記載のダイバーシチ受信制御方法。
【請求項１７】
複数の受信チャネルを備えた無線通信装置のコンピュータに、
通信品質を測定する測定処理と、
個別チャネルでの通信状態から前記測定処理による測定値および目標値の関係に基づいて、ダイバーシチ受信動作の開始／停止の切り替え制御を行う切替制御処理と、を実行させることを特徴とするダイバーシチ受信制御プログラム。
【請求項１８】
前記切替制御処理では、
前記測定値および前記目標値の差が所定の閾値以上である場合にダイバーシチ受信動作を行い、
前記測定値および前記目標値の差が所定の閾値未満である場合にダイバーシチ受信動作を停止させることを特徴とする請求項１７記載のダイバーシチ受信制御プログラム。
【請求項１９】
前記目標値は、ｏｕｔ閾値およびｉｎ閾値により定義され、
前記切替制御処理では、
前記測定値が前記ｏｕｔ閾値未満になるとダイバーシチ受信動作を開始し、
前記測定値が前記ｉｎ閾値以上になるとダイバーシチ受信動作を停止させることを特徴とする請求項１７記載のダイバーシチ受信制御プログラム。
【請求項２０】
前記目標値は、所定の閾値以上であるか否かにより定義され、
前記切替制御処理では、
前記測定処理による測定結果が前記閾値以上である場合にダイバーシチ受信動作を行い、
前記測定処理による測定結果が前記閾値未満である場合にダイバーシチ受信動作を停止させることを特徴とする請求項１７記載のダイバーシチ受信制御プログラム。
【請求項２１】
他の装置から受信した値に基づいて前記目標値を算出する目標値算出処理を備えたことを特徴とする請求項１８記載のダイバーシチ受信制御プログラム。
【請求項２２】
前記ｏｕｔ閾値および前記ｉｎ閾値をコマンドのエラー率に基づいて算出する閾値算出処理を備えたことを特徴とする請求項１９記載のダイバーシチ受信制御プログラム。
【請求項２３】
前記測定処理では、受信データの復号結果における復号不良の割合により前記通信品質を測定することを特徴とする請求項２０記載のダイバーシチ受信制御プログラム。
【請求項２４】
前記測定処理では、前記通信品質をＳＩＲ（Signal to Interference Ratio）により測定することを特徴とする請求項１７から２２の何れか１項に記載のダイバーシチ受信制御プログラム。
【発明の詳細な説明】
【技術分野】
【０００１】
本発明は、例えば携帯電話端末、ＷＣＤＭＡ（Wideband- Code Division Multiple Access）受信装置など、複数の受信アンテナを用いてダイバーシチ受信を行う機能を備えた無線通信装置、ダイバーシチ受信制御方法、およびプログラムに関する。
【背景技術】
【０００２】
一般に移動体通信においては、多重波干渉によるフェージングの影響によって受信性能の劣化を招く。このフェージングの影響を低減するために空間、偏波、角度、周波数、あるいは時間的に独立な複数のブランチを用いて受信を行うダイバーシチ受信方式が用いられている。
【０００３】
空間ダイバーシチは、２系統、あるいは３系統以上のアンテナから受信した受信信号をレイク合成することで受信品質特性を改善する方式として従来から知られている。しかし、２系統のアンテナに対応するフィンガーおよびパスサーチ処理が必要となりＨＷ規模の増加が懸念される。
【０００４】
近年、高速ダウンリンクパケット通信方式（ＨＳＤＰＡ）の運用により、移動機でのデータ受信性能が重要となり移動機にスペースダイバーシチ受信を適用する機会が増えてきている。これはＨＳＤＰＡでは受信品質の良い端末にはより高レートでデータ通信がなされるからである。
【０００５】
また、こうしたダイバーシチ受信を行う関連発明として、２以上のアンテナブランチごとにそれぞれ拡散変調波を受信し、選択したパスに係る信号対干渉比の最大値または平均値が小であるアンテナブランチから順に受信およびパス選択を停止させるものがある（例えば、特許文献１参照）。
【０００６】
また、制御チャネル（共通チャネル）による通信中はダイバーシチ受信を動作させ、通話などの個別チャネルによる通信中はダイバーシチ受信を停止させるようにするものがある（例えば、特許文献２参照）。
【特許文献１】特開２００６−８０９１０号公報
【特許文献２】特開２００６−３２４８１６号公報
【発明の開示】
【発明が解決しようとする課題】
【０００７】
しかしながら、空間ダイバーシチ受信では、２系統の無線回路および復調処理のため無線端末の消費電流が増大し、待ち受け時間・通話時間が減少するという課題がある。
【０００８】
また、上述した特許文献１、２のものは、通話などに用いられる個別チャネルと制御チャネル（共通チャネル）とでダイバーシチ受信の動作／非動作を切り替えるものであり、個別チャネル単独での通信状態から切り替えることについてまで考慮されたものではなかった。
【０００９】
本発明はこのような状況に鑑みてなされたものであり、個別チャネル単独での通信状態からダイバーシチ受信動作の開始／停止を切り替えることにより、ダイバーシチ受信装置において消費電流の低減と通信呼の維持性能の向上とを両立させることができる無線通信装置、ダイバーシチ受信制御方法、およびプログラムを提供することを目的とする。
【課題を解決するための手段】
【００１０】
かかる目的を達成するために、本発明に係る無線通信装置は、通信品質を測定する測定手段と、上記測定手段による測定値および目標値の関係に基づいて、個別チャネルでの通信状態からダイバーシチ受信動作の開始／停止の切り替え制御を行う切替制御手段と、を備えたことを特徴とする。
【００１１】
また、本発明に係るダイバーシチ受信制御方法は、通信品質を測定する測定工程と、個別チャネルでの通信状態から上記測定工程による測定値および目標値の関係に基づいて、ダイバーシチ受信動作の開始／停止の切り替え制御を行う切替制御工程と、を備えたことを特徴とする。
【００１２】
また、本発明に係るダイバーシチ受信制御プログラムは、複数の受信チャネルを備えた無線通信装置のコンピュータに、通信品質を測定する測定処理と、個別チャネルでの通信状態から上記測定処理による測定値および目標値の関係に基づいて、ダイバーシチ受信動作の開始／停止の切り替え制御を行う切替制御処理と、を実行させることを特徴とする。
【発明の効果】
【００１３】
以上のように、本発明によれば、個別チャネル単独での通信状態からダイバーシチ受信動作の開始／停止を切り替えることにより、ダイバーシチ受信装置において消費電流の低減と通信呼の維持性能の向上とを両立させることができる。
【発明を実施するための最良の形態】
【００１４】
次に、本発明に係る無線通信装置、ダイバーシチ受信制御方法、およびプログラムをＣＤＭＡ受信装置に適用した一実施形態について、図面を用いて詳細に説明する。
まず、本実施形態の概略について説明する。
【００１５】
本実施形態におけるダイバーシチ受信動作切り替え制御方法は、ダイバーシチ受信装置において、通信品質を監視して、通信品質状況によりダイバーシチ動作の切り替え制御を行うものである。
【００１６】
このため、本実施形態によるダイバーシチ受信を行う装置は、通信状況によりダイバーシチ受信を実施、停止する制御機能を有したダイバーシチ受信装置であり、個別チャネル通信中の目標ＳＩＲ（目標値）と測定ＳＩＲ（測定値）の追従状態からダイバーシチ動作の切り替え制御を行う手段を有する。
このことにより、受信信号品質が所定の閾値を超えた場合にダイバーシチ受信を一時停止し、ダイバーシチ受信装置において、消費電流の低減と通信呼の維持性能の向上とを両立させることができる。
【００１７】
次に、本実施形態に係るＣＤＭＡ受信装置の構成について、図１を参照して説明する。
図１に示すように、本実施形態としてのＣＤＭＡ受信装置は、２系統のアンテナ１Ａとアンテナ１Ｂとを備える。各アンテナ１Ａ、１Ｂで受信した信号は２系統のＲＦ部２ＡとＲＦ部２Ｂによりベースバンド受信信号に変換される。このように、アンテナ１Ａとアンテナ１Ｂとが、無線信号を受信する受信手段として機能する。
【００１８】
２系統のＡＧＣ部（自動利得制御部）３Ａと３Ｂは、ベースバンド受信信号の強度（ＲＳＳＩ）を測定してＲＦ部２Ａ、２Ｂのゲインを制御する。パスサーチ部５は、２系統の受信信号からパスタイミングを検出してフィンガーレイク合成部６にパスタイミングを通知する。パスサーチ部５は、パスタイミングを検出するために２系統の受信信号の電力遅延プロファイルを作成する。
【００１９】
フィンガーレイク合成部６は、２系統の受信信号から逆拡散処理、レイク合成処理を行い、受信シンボルデータをデータ復号部７に出力する。フィンガーレイク合成部６は、個別チャネルそれぞれについて、逆拡散したパイロット信号と干渉信号からＳＩＲ（Signal to Interference Ratio）を測定する（測定手段）。そしてフィンガーレイク合成部６は、この測定ＳＩＲが目標ＳＩＲに追従するように送信電力制御のためのＴＰＣ（Transmission Power Control）コマンドを生成する。
【００２０】
データ復号部７は、受信シンボルデータを復号して復号データを出力する。ダイバーシチ受信制御部（切替制御手段）４は、フィンガーレイク合成部６から目標ＳＩＲおよび測定ＳＩＲ情報を入力して、ダイバーシチ動作判定を行い、アンテナ１Ｂ、ＲＦ部２Ｂ、パスサーチ部５、フィンガーレイク合成部６にそれぞれダイバーシチ動作の切り替え信号を出力する。
【００２１】
また、本実施形態に係るＣＤＭＡ受信装置は、図１に示される構成に加え、ＣＰＵなどの上位レイヤー（不図示）を備え、この上位レイヤーから目標ＳＩＲなどの情報を取得することで、図１に示す本装置の構成が各種動作を行う。
【００２２】
目標ＳＩＲの算出方法は、無線ネットワーク制御装置から指示されるＢＬＥＲ  Ｑｕａｌｉｔｙ  ｖａｌｕｅ（目標品質）に対して無線通信装置の測定ＢＬＥＲ（測定ブロックエラーレート）が一致するように目標ＳＩＲを調整する。すなわち、ＣＰＵなどの上位レイヤーは、本実施形態に係るＣＤＭＡ受信装置と無線通信を行う無線ネットワーク制御装置から受信した目標ＢＬＥＲ品質の値に基づいて、目標ＳＩＲを算出する。
この目標ＳＩＲを下げることで基地局の送信電力が下がり受信装置の測定ＢＬＥＲが大きくなり、目標ＳＩＲを上げることで基地局の送信電力が上がり受信装置の測定ＢＬＥＲが小さくなる。（参照：3GPP TS24.331 14.9. Downlink power control）
【００２３】
次に、本実施形態に係るＣＤＭＡ受信装置の動作について説明する。
図１に示す２系統のアンテナ１Ａ、１Ｂにより受信した受信信号は、それぞれ２系等のＲＦ部２Ａ、２Ｂによりベースバンド信号に変換される。そして、２系統の受信信号はそれぞれのＡＧＣ部３Ａ、３Ｂにより独立してＡＧＣ制御される。
このため、アンテナ１Ａとアンテナ１Ｂとで異なるフェージング環境の場合にそれぞれ最適にＡＧＣ制御され、デジタルベースバンド信号処理部にベースバンド受信信号が入力される。
【００２４】
ＲＦ部２ＢおよびＡＧＣ部３Ｂは、ダイバーシチ受信制御部４からの制御信号により、動作するか動作停止するかの制御が行われる。
ＲＦ部２ＢおよびＡＧＣ部３Ｂが動作停止状態とされる時には、そのＲＦ部２ＢおよびＡＧＣ部３Ｂへの電源供給を止める等を行い、消費電流を削減する。
【００２５】
パスサーチ部５は２系統のベースバンド受信信号を入力し、それぞれの受信信号からパスタイミングを検出してフィンガーレイク合成部６に通知する。フィンガーレイク合成部６は２系統のベースバンド受信信号を入力し、それぞれの信号をレイク合成して得られる復調信号（受信シンボルデータ）をデータ復号部７に出力する。
【００２６】
パスサーチ部５およびフィンガーレイク部６は、ダイバーシチ受信制御部４からの制御信号によりＲＦ部２Ｂ側の入力信号に対する動作を行うか否かを制御する。ＲＦ部２Ｂ側の入力信号に対する動作停止時は、処理量が減るため、消費電流が削減されるという効果が得られる。
【００２７】
フィンガーレイク合成部６は、個別チャネルの通信品質（測定ＳＩＲ）について、下り送信電力制御のためにＴＰＣ（Transmission Power Control）コマンドを生成する。ＴＰＣコマンドは上位レイヤー（図示せず）から与えられる目標ＳＩＲと受信信号から測定する測定ＳＩＲとが等しくなるように生成させる。目標ＳＩＲは目標受信品質や受信誤り率から上位レイヤーから逐次更新される。
【００２８】
また、フィンガーレイク合成部６は目標ＳＩＲと測定ＳＩＲをダイバーシチ受信制御部４に出力する。ダイバーシチ受信制御部４はフィンガーレイク合成部６から入力される目標ＳＩＲと測定ＳＩＲからダイバーシチ動作判定を行い、アンテナ１Ｂ、ＲＦ部２Ｂ、パスサーチ部５、フィンガーレイク合成部６にそれぞれダイバーシチ動作の切り替え信号を出力する。
【００２９】
ダイバーシチ動作の切り替え方法を、図２に示すフローチャートを使用して説明する。
図２のステップＳ１で現在ダイバーシチ動作中か否かを判別してダイバーシチ動作中でなければステップＳ２に進み、ダイバーシチ動作中であればステップＳ４に進む。ステップＳ２では目標ＳＩＲと測定ＳＩＲの差分をＯＮ閾値と比較して目標ＳＩＲと測定ＳＩＲの差分がＯＮ閾値より大きければステップＳ３によりダイバーシチ受信動作開始と判定する。ステップＳ４では目標ＳＩＲと測定ＳＩＲの差分をＯＦＦ閾値と比較して目標ＳＩＲと測定ＳＩＲの差分がＯＦＦ閾値より小さければステップＳ５によりダイバーシチ動作停止と判定する。
上述したＯＮ閾値およびＯＦＦ閾値は、予め定められた値であってもよく、所定の算出方法により算出されるものであってもよい。
【００３０】
次に、図３に示すタイミングチャートを使用して、ダイバーシチ受信動作の切り替え動作例について説明する。
通常、測定ＳＩＲが目標ＳＩＲの近傍を追従するように、無線ネットワーク制御装置などにより送信電力制御がなされている。しかしながら通信環境の劣化等で送信電力制御が効かずに測定ＳＩＲが落ち込む場合がある。こうして図３における時間Ａの点において目標ＳＩＲと測定ＳＩＲの差分がＯＮ閾値を超えたことが検出されると、ダイバーシチ受信動作が開始される。その後、時間Ｂの点において測定ＳＩＲが上昇し、目標ＳＩＲと測定ＳＩＲの差分がＯＦＦ閾値より小さくなったことが検出されると、ダイバーシチ受信動作が停止される。
【００３１】
以上のように、上述した実施形態では、ダイバーシチ受信動作の開始／停止の切り替え制御方法に関して、個別チャネルでの通信状態において下り送信電力制御に使用している目標ＳＩＲと測定ＳＩＲの差を監視し、この差が閾値を越えたらダイバーシチ受信動作を開始する。また、この差が閾値より小さければダイバーシチ動作を停止する。
【００３２】
このように、送信電力制御が適用される個別チャネル通信状態において、送信電力制御が効いている通常状態ではダイバーシチ受信を停止しておき、送信電力制御が効かないような通信環境になった場合にのみダイバーシチ受信動作を行い、受信性能を向上させて呼接続の切断確率を低減させる。
こうして、制御チャネル（共通チャネル）に関わらず、ダイバーシチ受信動作の開始／停止の切り替え制御を個別チャネル単独でＳＩＲ特性に基づいて行うことにより、消費電流の低減と通信呼の維持性能の向上とを両立させることができる。
【００３３】
〔他の実施形態〕
次に、本発明の他の実施形態について説明する。この他の実施形態は、基本的構成は上述した実施形態と同様であるが、ダイバーシチ受信動作の切り替え方法についてさらに工夫したものである。
すなわち、上述した実施形態と比較して、目標ＳＩＲと測定ＳＩＲの差分から判定する替わりに、同期判定結果からダイバーシチ受信動作を切り替えるようにしている。
【００３４】
個別チャネルでは、常時、ラジオリンクの監視のために同期判定処理が行われている。同期判定処理では、ＤＰＣＣＨ（Dedicated Physical Control Channel）の品質（測定ＳＩＲ）と、受信信号の復号結果（ＣＲＣ  ＯＫ・ＮＧ）とに基づいてダイバーシチ受信制御部４が同期判定を行い、その同期判定結果を上位レイヤーに通知している。
【００３５】
図４に示すタイミングチャートを使用してダイバーシチ受信動作の切り替え例を説明する。この図４に示す例では、同期判定処理として、フィンガーレイク部合成部６が測定する測定ＳＩＲがＱｏｕｔ閾値未満になると同期外れ、Ｑｉｎ閾値以上であれば同期と判断される。
【００３６】
Ｑｏｕｔ閾値、およびＱｉｎ閾値は、装置内で通信チャネルのスロットフォーマットに応じて切り替えるものであってよい。すなわち、Ｑｏｕｔ閾値、Ｑｉｎ閾値は、ＴＰＣコマンドのエラー率に基づいてＣＰＵなどの上位レイヤーにより算出される（閾値算出手段）。（参照：3GPP TS25.101 6.4.4  Out-of-synchronization handling of output power）
【００３７】
また、他の構成として、受信データの復号結果が一定量のＮＧであれば同期外れ、復号結果がＯＫであれば同期と判断する（図示せず）。すなわち、受信データの復号結果における復号不良の割合が所定閾値以上であれば同期外れ、その閾値未満であれば同期と判断する。
この構成である場合、フィンガーレイク部合成部６など、受信データの復号結果における復号不良の割合を測定する機能部分が、通信品質を測定する測定手段となる。
また、判断に用いる閾値は、予め定められたものであってもよく、所定の算出方法により算出されるものであってもよい。
【００３８】
以上の各構成により同期／非同期が判断されると、その判断結果はダイバーシチ受信制御部４に入力される。
ダイバーシチ受信制御部４は同期判定処理の結果を受信して同期外れを検出すると、ダイバーシチ動作を開始と判定する。また、同期判定処理の結果を受信して同期を検出したらダイバーシチ動作を停止と判定する。このことにより、ダイバーシチ受信制御部４は、アンテナ１Ｂ、ＲＦ部２Ｂ、パスサーチ部５、フィンガーレイク合成部６に、それぞれダイバーシチ動作の切り替え信号を出力する。
【００３９】
このように、上述した他の実施形態では、ダイバーシチ受信動作の開始・停止の切り替え制御方法に関して、個別チャネルでの通信状態において下り同期判定処理で検出している同期判定結果により同期外れを検出したらダイバーシチ受信動作を開始し、同期を検出したらダイバーシチ動作を停止するようにしている。
【００４０】
このように、上述した他の実施形態では、送信電力制御が適用される個別チャネル通信状態において、同期判定結果に基づいて、送信電力制御が効いている通常状態ではダイバーシチ受信を停止しておき、送信電力制御が効かないような通信環境になった場合にのみダイバーシチ受信動作を行い、受信性能を向上させて呼接続の切断確率を低減させる。
こうして、制御チャネル（共通チャネル）に関わらず、ダイバーシチ受信動作の開始／停止の切り替え制御を個別チャネル単独で同期判定結果に基づいて行うことにより、消費電流の低減と通信呼の維持性能の向上とを両立させることができる。
【００４１】
なお、上述した各実施形態は本発明の好適な実施形態であり、本発明はこれに限定されることなく、本発明の技術的思想に基づいて種々変形して実施することが可能である。
例えば、上述した各実施形態では、アンテナを備えた受信チャネルが２系統であることとして説明したが、複数系統の受信チャネルを備えていればこの構成に限定されず、３系統以上であってもよい。
【００４２】
また、各実施形態としてのＣＤＭＡ受信装置は、図１に示される構成に加え、ＣＰＵなどの上位レイヤー（不図示）を備え、この上位レイヤーから目標ＳＩＲなどの情報を取得することで、図１に示す本装置の構成が各種動作として説明したが、目標ＳＩＲなどの情報が図１に示される構成に入力される構成であればこの構成に限定されるものではない。例えば、目標ＳＩＲを算出する上位レイヤーが他の装置として設けられるシステムであっても、本発明は同様に実現することができる。
【００４３】
また、目標ＳＩＲは、上述した実施形態のようにして算出されるものであってもよく、予め定められるものであってもよい。
【００４４】
また、常時、ダイバーシチ受信を行うのではなく通信条件に応じてダイバーシチ受信を一時停止／再開する制御を行うのであれば各種の制御方法であってよく、例えば、高速な送信電力制御が行われている個別チャネルではダイバーシチ受信を行わないといった制御であってもよい。
【００４５】
また、上述した実施形態では、本発明に係る無線通信装置がＣＤＭＡ受信装置であることとして説明したが、複数の受信アンテナを用いてダイバーシチ受信を行う機能を備えた装置であればこのものに限定されず、各種携帯電話端末等、各種の無線通信装置であってよい。
【００４６】
また、上述した各実施形態としてのＣＤＭＡ受信装置を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリーカード、ＲＯＭ等を用いてよい。
【００４７】
この本発明に係るプログラムによれば、当該プログラムによって制御される無線通信装置に、上述した本発明に係る各実施形態としてのＣＤＭＡ受信装置における各機能を実現させることができる。
【図面の簡単な説明】
【００４８】
【図１】本発明の実施形態としてのＣＤＭＡ受信装置の主要部構成例を示すブロック図である。
【図２】ダイバーシチ受信動作の開始／停止の切り替え制御を示すフローチャートである。
【図３】ダイバーシチ受信動作の開始／停止の切り替え制御を示すタイミングチャートである。
【図４】他の実施形態によるダイバーシチ受信動作の開始／停止の切り替え制御を示すタイミングチャートである。
【符号の説明】
【００４９】
１    アンテナ
４    ダイバーシチ受信制御部
５    パスサーチ部
６    フィンガーレイク合成部
７    データ復号部
【図１】
2009049774.tif 000003
【図２】
2009049774.tif 000004
【図３】
2009049774.tif 000005
【図４】
2009049774.tif 000006